(57)【要約】本発明は、織物材料をＵＶ保護加工する方法であり、（ａ）成分Ａとして酸化亜鉛および/または酸化チタンを織物材料に被覆し、かつ（ｂ）成分Ｂとして１種以上の有機ＵＶ吸収剤を織物材料に被覆する。成分Ｂは、有利にはフェニルベンゾトリアゾール、ジベンゾイルメタン、ｐ−アミノ安息香酸エステル、桂皮酸エステル、サリチル酸エステル、窒素を含まない２−ヒドロキシベンゾフェノン、フェニルベンゾイミダゾール、アクリレート、ジアリールブタジエン、アミノ置換ヒドロキシベンゾフェノン、トリアジンからなる群から選択される１種以上の化合物を含有する。【特許請求の範囲】
【請求項１】
織物材料をＵＶ保護加工する方法において、
（ａ）成分Ａとして酸化亜鉛および/または酸化チタン、および
（ｂ）成分Ｂとして１種以上の有機ＵＶ吸収剤
を前記織物材料に被覆することを特徴とする織物材料をＵＶ保護加工する方法。
【請求項２】
成分Ａが２８０〜４５０ｎｍの範囲の吸収最大値を有するＵＶ吸収剤を有する請求項１記載の方法。
【請求項３】
成分Ｂが、フェニルベンゾトリアゾール、ジベンゾイルメタン、ｐ−アミノ安息香酸エステル、桂皮酸エステル、サリチル酸エステル、窒素を含まない２−ヒドロキシベンゾフェノン、フェニルベンゾイミダゾール、アクリレート、ジアリールブタジエン、アミノ置換ヒドロキシベンゾフェノン、トリアジンからなる群から選択される１種以上の化合物を有する請求項１または２記載の方法。
【請求項４】
成分Ａと成分Ｂの質量比が２０：１〜１：１０の範囲内にある請求項１から３までのいずれか１項記載の方法。
【請求項５】
成分ＡおよびＢを、成分ＡおよびＢを有し、他の内容物質を有してもよい水性液の形で織物材料に被覆する請求項１から４までのいずれか１項記載の方法。
【請求項６】
成分ＡおよびＢを、織物材料の製造中の織物仕上げの際に、織物洗濯の際におよび/または織物洗濯後処理の際に前記織物材料に被覆する請求項１から５までのいずれか１項記載の方法。
【請求項７】
他の通常の成分のほかに請求項１から４までのいずれか１項記載の成分ＡおよびＢを組成物の全体に対して０.０１〜２０質量％含有する洗濯洗剤組成物。
【請求項８】
他の通常の成分のほかに請求項１から４までのいずれか１項記載の成分ＡおよびＢを組成物の全体に対して０.０１〜２０質量％含有する洗濯後処理および洗濯コンディショニング組成物。
【請求項９】
第四級ジエステルアンモニウム塩、第四級テトラアルキルアンモニウム塩、第四級ジアミドアンモニウム塩、アミドアミノエステルおよびイミダゾリンからなる群から選択される１種以上のカチオン性界面活性剤１〜５０質量％を含有する請求項８記載の洗濯後処理および洗濯コンディショニング組成物。
【請求項１０】
請求項１から４までのいずれか１項記載の成分ＡおよびＢからなる混合物を有する、織物材料をＵＶ保護加工するための仕上げ加工剤。
【請求項１１】
請求項１から４までのいずれか１項記載の成分ＡおよびＢからなる混合物を有する織物材料。
【請求項１２】
人間の皮膚を有害なＵＶ線から保護するためのおよび/または染色した織物材料を色あせから保護するための織物材料における有機ＵＶ吸収剤と一緒の酸化亜鉛および/または二酸化チタンの使用。
【発明の詳細な説明】
【技術分野】
【０００１】
本発明は、繊維材料、織物洗剤組成物、洗浄後処理組成物、およびコンディショニング組成物をＵＶ保護加工する方法、織物材料をＵＶ保護加工するための仕上げ加工剤、こうして処理された織物材料自体および有機ＵＶ吸収剤と一緒の酸化亜鉛および／または二酸化チタンの使用に関する。
【０００２】
人間の皮膚に及ぼす日光のＵＶ線の有害な作用は早すぎる皮膚の老化および紅斑の形成（皮膚の赤化、日焼け）に限定されない。ＵＶ線への皮膚の過剰に長いおよび集中的な暴露は皮膚ガンが悪化する危険を高める。皮膚の発赤および皮膚ガンの増加した危険の原因となる主な原因はＵＶ−Ｂ範囲、すなわち約２８０〜約３１５ｎｍの範囲のＵＶ線である。紅班作用スペクトルのピークは３０８ｎｍに位置する。
【０００３】
織物はＵＶ線を散乱または吸収し、日光の有害な作用から皮膚を保護する物理的バリアとして作用する（織物皮膚保護）。しかし織物の皮膚保護作用は繊維の種類、織物の構造、織物の質量、色、湿分または仕上げの特性のような多くの要因に依存する。軽量および淡い色の綿織物の形の夏用衣服はＵＶ線に対するわずかな、従って不適当な保護を提供する。
【０００４】
ＵＶ線の過剰な線量は皮膚の損傷を引き起こすだけでなく、着色した織物の日光に誘発される色あせの決定的な原因である。従って着色した織物および人間の皮膚をＵＶ線の有害な作用から保護するかなりの関心が存在する。
【０００５】
これまで主として一般の光学的増白剤が織物自体の仕上げおよび保護および織物皮膚保護に使用され、特にスチルベンを基礎とする光学的増白剤およびトリアジンを基礎とする光学的増白剤が使用された（例えば特許文献１、特許文献２および特許文献３参照）。しかしこれらの薬剤はその有効性に関してなお改良の必要があり、多くの欠点を有する。重大な欠点は乏しい製剤化能力およびそれぞれの適用媒体中の不十分な溶解性である。
【０００６】
特にフェニルベンゾトリアゾール、ジベンゾイルメタン、ｐ−アミノ安息香酸エステル、桂皮酸エステル、サリチル酸エステル、窒素を含まない２−ヒドロキシベンゾフェノン、フェニルベンゾイミダゾールおよび２−シアノ−３，３−ジフェニルアクリル酸エステルおよびこれらの混合物からなる群からの日焼け止め剤が色あせに対して染色した織物材料を保護することができることは開示されているが（特許文献４参照）、それぞれの混合比は記載されていない。更に色あせに対して染色した織物材料を保護するための薬剤として実質的に同じ日焼け止め剤が開示されている（特許文献５参照）。しかしこれらの薬剤は同様に有効性に関してなお改良の必要があり、多くの欠点を有する。基本的な欠点は、前記薬剤のしばしば不十分なＵＶ安定性である。
【０００７】
繊維への二酸化チタンまたは酸化亜鉛のような顔料の配合はこれらの繊維からなる織物にＵＶ保護を生じる、試行され、試験された１つの方法である。特にポリアミド、ポリエステルまたはポリアクリロニトリルからなる製造された繊維がこの種のＵＶ保護加工に適している。セルロース繊維はあまり適していない。
【０００８】
酸化亜鉛０.１〜１５質量％を有する固形洗剤、特に石鹸は開示されている（特許文献６参照）。この石鹸は良好なＵＶ吸収を示し、脱臭作用を有する。
【０００９】
ＵＶ線を吸収、反射または散乱することができる結合剤と組み合わせた無機粒子での処理によるＵＶ保護加工した織物は開示されている（特許文献７参照）。これらの粒子は織物の洗浄または洗濯中に使用される。
【特許文献１】
欧州（ＥＰ−Ａ）特許第６８２１４５号明細書
【特許文献２】
英国特許（ＧＢ−Ａ）第２３１３３７５号明細書
【特許文献３】
欧州特許（ＥＰ−Ａ）第７２８７４９号明細書
【特許文献４】
ＷＯ９７／４４４２２号明細書
【特許文献５】
ＷＯ９６／０３４８６号明細書
【特許文献６】
特開平０３−２７７６９９号
【特許文献７】
ＷＯ９８／４２９０９号明細書  本発明の課題は、有効性および光安定性が改良されたＵＶ吸収剤系を提供することである。
【００１０】
前記課題は、織物材料に
（ａ）成分Ａとして、酸化亜鉛および／または酸化チタンを被覆し、
（ｂ）成分Ｂとして、１種以上の有機ＵＶ吸収剤を被覆することを特徴とする、織物材料をＵＶ保護加工する方法により解決されることが見出された。
【００１１】
意想外にも、織物仕上げ剤、洗濯洗剤または織物コンディショナー組成物に有機ＵＶ吸収剤と酸化亜鉛および／または二酸化チタンからなる無機顔料を組み合わせて使用することにより、これらの組成物で処理された織物のＵＶ保護が有機ＵＶ吸収剤または無機顔料の単独の使用より有効になる。有害なＵＶ線に対して皮膚が良好に、安定して保護されるだけでなく、着色した織物のＵＶに誘発された色あせに対する保護が改良される。
【００１２】
成分ＡはＵＶ吸収無機顔料として、酸化亜鉛および／または二酸化チタンからなる。成分Ａはそれぞれ酸化亜鉛または二酸化チタン自体からまたは２種の顔料の混合物からなっていてもよい。
【００１３】
二酸化チタンは３種の結晶の形、ルチル、アナターゼまたはブルッカイトで使用することができ、ルチルが有利である。粒度は一般に０.０１〜１００μｍの範囲内および有利には０.０２〜０.２５μｍの範囲内である。
【００１４】
酸化亜鉛は一般に０.０１〜１００μｍの粒度で使用する。粒度は有利には０.０２〜２μｍおよびより有利には０.０８〜０.２５μｍである。
【００１５】
二酸化チタンおよび酸化亜鉛顔料粒子は無機酸化物、特に二酸化珪素または酸化アルミニウムの層で不活性化することができる。顔料表面は更に有機化合物またはシリコーンで処理することにより目的に合わせて親水性または疎水性にすることができる。有効な表面変性剤には、例えばアミン、アミノ基含有ポリマーのようなカチオンポリマー、ポリオール、有機燐酸塩、アルキルフタレート、ステアリン酸、ラウリン酸またはシリコーン油が含まれる。
【００１６】
きわめて有効な表面変性剤の例は、ウビヌール（Ｕｖｉｎｕｌ）（登録商標）ＴｉＯ２（ＢＡＳＦ社）、ゼットコート（Ｚ−ＣＯＴＥ）（登録商標）（ＢＡＳＦ社）およびゼットコート（Ｚ−ＣＯＴＥ）ＨＰ１（登録商標）（ＢＡＳＦ社）である。
【００１７】
成分Ｂは２８０〜４５０ｎｍの範囲の少なくとも１つのＵＶ吸収最大値を有する商業的に入手可能な日焼け止め剤である。有利な実施態様において、成分Ｂは２９０〜３７５ｎｍの範囲の少なくとも１つのＵＶ吸収最大値を有する化合物からなる。
【００１８】
他の有利な実施態様において、成分（Ｂ）は、少なくとも２００、特に少なくとも２５０のＥ１１値を有する２８０〜３１５ｎｍの範囲（ＵＶ−Ｂ範囲）の少なくとも１個のＵＶ吸収最大値および少なくとも２００、特に少なくとも２５０のＥ１１値を有する３１５〜４００ｎｍの範囲（ＵＶ−Ａ範囲）の少なくとも１個のＵＶ吸収最大値を有する化合物からなる。
【００１９】
有機ＵＶ吸収剤ＢはＵＶ吸収スペクトル中に１個以上のバンドを有する。本発明の目的のためのＵＶ吸収最大値は、室温でジクロロメタンまたはメタノールのような通常の有機溶剤中で測定した、個々の化合物のＵＶスペクトル中の相当する位置最大値または絶対的最大値に属するバンドである。
【００２０】
Ｅ１１値は１質量％の濃度の溶液中で１ｃｍの通路長さで測定した、有機ＵＶ吸収剤Ｂの吸光を示す。この溶液に使用される溶剤は、このＵＶ測定に常用の他の溶剤の使用が基本的に異なる値を生じないにもかかわらず、一般にジクロロメタンである。
【００２１】
他の有利な実施態様において、本発明の混合物に成分Ｂとして存在する有機ＵＶ吸収剤は、少なくとも１.９、有利には少なくとも２.５、特に少なくとも３.３のｎ−オクタノール／水分配係数ｌｏｇＰを有する。ｌｏｇＰは経験的にまたは算術的に決定することができる。２つの技術はＣｈｅｍｉｃａｌ  Ｒｅｖｉｅｗｓ  Ｖｏｌｕｍｅ  ７１、Ｎｏ.５、５２−５−６１６（１９７１）に記載されている。
【００２２】
以下のものからなる群から選択される有機ＵＶ吸収剤Ｂを使用することが特に有利である：
（Ｉ）フェニルベンゾトリアゾール
（ＩＩ）ジベンゾイルメタン
（ＩＩＩ）ｐ−アミノ安息香酸エステル
（ＩＶ）桂皮酸エステル
（Ｖ）サリチル酸エステル
（ＶＩ）窒素を含まない２−ヒドロキシベンゾフェノン
（ＶＩＩ）フェニルベンゾイミダゾール
（ＶＩＩＩ）アクリレート
（ＩＸ）ジアリールブタジエン
（Ｘ）アミノ置換ヒドロキシベンゾフェノンおよび
（ＸＩ）トリアジン。
【００２３】
代表的なＵＶ吸収性フェニルベンゾトリアゾール（Ｉ）は以下のものである：
２，２′−ヒドロキシ−５−メチルフェニルベンゾトリアゾール、
２，２′−ヒドロキシ−５−ｔ−オクチルフェニルベンゾトリアゾール、
２−ヒドロキシ−３−ｓ−ブチル−５−ｔ−ブチルベンゾトリアゾール（チヌービン（Ｔｉｎｕｖｉｎ）（登録商標）３５０）、
２−ヒドロキシ−３−ドデシル−５−メチルフェニルベンゾトリアゾール（チヌービン（登録商標）５７１）、
２−（２Ｈ−ベンゾトリアゾール−２−イル）−４−メチルフェノール（チヌービン（登録商標）Ｐ）、
２−（２Ｈ−ベンゾトリアゾール−２−イル）−４−ｎ−オクチルフェノール（チヌービン（登録商標）３２９）、
２−（２Ｈ−ベンゾトリアゾール−２−イル）−４，６−ジ（２′−フェニルイソプロピル）フェノール（チヌービン（登録商標）２３４）、
２−（２Ｈ−ベンゾトリアゾール−２−イル）−４，６−ジ（ｔ−ブチル）フェノール（チヌービン（登録商標）３２０）、
２−（６−クロロ−２Ｈ−ベンゾトリアゾール−２−イル）−４−メチル−６−ｔ−ブチルフェノール（チヌービン（登録商標）３２６）、
２−（６−クロロ−２Ｈ−ベンゾトリアゾール−２−イル）−２，６−ジ−ｔ−ブチルフェノール（チヌービン（登録商標）３２７）、
２−（２′−ヒドロキシ−３′、５′−ジ−ｔ−アミルフェニル）−２Ｈ−ベンゾトリアゾール（チヌービン（登録商標）３２８）、
６００より大きい平均分子量を有するポリオキシエチレングリコールβ−［３−（２Ｈ−ベンゾトリアゾール−２−イル）−５−ｔ−ブチル−４−ヒドロキシフェニル］プロピオネートおよびポリオキシエチレングリコールビスβ−［３−（２Ｈ−ベンゾトリアゾール−２−イル）−５−ｔ−ブチル−４−ヒドロキシフェニル］プロピオネートの混合物（チヌービン（登録商標）１１３０）、
ココイル−２−［２′−ヒドロキシ−３′−（ココイルジメチルブタノエート）−５′−メチルフェニル］ベンゾトリアゾール、
ココイル−３−［３′−（２Ｈ−ベンゾトリアゾール−２′−イル）−５−ｔ−ブチル−４′−ヒドロキシフェニル］プロピオネート、
２，２′−メチレンビス［６−（２Ｈ−ベンゾトリアゾール−２−イル）−４−（１，１，３，３−テトラメチルブチル）］フェノール（チヌービン（登録商標）３６０）、
２−（２Ｈ−１，２，３−ベンゾトリアゾール−２−イル）−４−メチル−６−（２−メチル−３−｛１，３，３，３−テトラメチル−１−［（トリメチルシリル）オキシ］ジシロキサニル｝プロピル）フェノール。
【００２４】
代表的なＵＶ吸収性ジベンゾイルメタン（ＩＩ）は以下のものである：
３−（４−イソプロピルフェニル）−３−フェニルプロパン−１，３−ジオン（ユーソレックス（Ｅｕｓｏｌｅｘ）（登録商標）８０２０）、
１−（４−ｔ−ブチルフェニル）−３−（４−メトキシフェニル）プロパン−１，３−ジオン（ウビヌール（Ｕｖｉｎｕｌ）（登録商標）ＢＭＢＭ）、
１，３−ビス（４−メトキシフェニル）プロパン−１，３−ジオン。
【００２５】
代表的なＵＶ吸収性ｐ−アミノ安息香酸エステル（ＩＩＩ）は以下のものである。
エチル４−ビス（ヒドロキシプロピル）アミノベンゾエート（アメルスケーン（Ａｍｅｒｓｃｈｅｅｎ）（登録商標）Ｐ）、
２，３−ジヒドロキシプロピル−４−アミノベンゾエート（ニッパ（Ｎｉｐａ）（登録商標）ＧＭＰＡ）、
メンチル−２−アミノベンゾエート（サンアローム（Ｓｕｎａｒｏｍｅ）（登録商標）ＵＶＡ）、
２−エチルヘキシル−４−ジメチルアミノベンゾエート（エスカロール（Ｅｓｃａｌｏｌ）（登録商標）５０７）、
アミル−４−ジメチルアミノベンゾエート、
エチル−４−ジメチルアミノベンゾエート、
ブチル−４−ジメチルアミノベンゾエート、
オクチル−４−ジメチルアミノベンゾエート、
ラウリル−４−ジメチルアミノベンゾエート、
オレイル−４−ジメチルアミノベンゾエート、
ポリエトキシエチル−４−ビス（ポリエトキシ）−４−アミノベンゾエート（ウビヌール（登録商標）Ｐ−２５）、
Ｎ−プロポキシル化エチル４−アミノベンゾエート。
【００２６】
代表的なＵＶ吸収性桂皮酸エステル（ＩＶ）は以下のものである：
２−エチルヘキシル４−メトキシシンナメート（ウビヌール（登録商標）ＭＣ８０、パーソル（Ｐａｒｓｏｌ）（登録商標）ＭＣＸ）、
２−エトキシエチル４−メトキシシンナメート、
プロピル４−メトキシシンナメート、
イソアミル４−メトキシシンナメート、
シクロヘキシル４−メトキシシンナメート、
イソプロピル４−メトキシシンナメート、
オクチルシンナメート、
エチル４−イソプロピルシンナメート、
エチルα−シアノ−β−フェニルシンナメート、
２−エチルヘキシルα−シアノ−β−フェニルシンナメート。
【００２７】
代表的なＵＶ吸収性サリチル酸エステル（Ｖ）は以下のものである：
２−エチルヘキシルサリチレート（サンアローム（登録商標）ＷＭＯ）、
３，３，５−トリメチルシクロヘキシル２−ヒドロキシベンゾエート、
３，３，５−トリメチルシクロヘキシル２−アセトアミドベンゾエート、
２−エチルヘキシル２−（４−フェニルベンゾイル）ベンゾエート、
４−イソプロピルベンジルサリチレート、
アミルサリチレート、
メンチルサリチレート、
ホモメチルサリチレート、
フェニルサリチレート、
ベンジルサリチレート、
イソデシルサリチレート。
【００２８】
代表的なＵＶ吸収性の窒素を含まない２−ヒドロキシベンゾフェノン（ＶＩ）は以下のものである：
２−ヒドロキシ−４−メトキシベンゾフェノン（ウビヌール（登録商標）Ｍ４０）
２，２′−ジヒドロキシ−４−メトキシベンゾフェノン（スペクトラソーブ（Ｓｐｅｃｔｒａ−Ｓｏｒｂ）（登録商標）ＵＶ−２４）、
２，４−ジヒドロキシベンゾフェノン（ウビヌール（登録商標）３０００）、
２，２′、４，４′−テトラヒドロキシベンゾフェノン（ウビヌール（登録商標）Ｄ−５０）、
２，２′−ジヒドロキシ−４，４′−ジメトキシベンゾフェノン（ウビヌール（登録商標）Ｄ−４９）、
２，２−ジヒドロキシ−４，４−ジメトキシベンゾフェノン（ウビヌール（登録商標）３０４９）、
２−ヒドロキシ−４−（２−エチルヘキシルオキシ）ベンゾフェノン、
２−ヒドロキシ−４−（ｎ−オクチルオキシ）ベンゾフェノン（ウビヌール（登録商標）３００８）、
２−ヒドロキシ−４−メトキシ−４′−メチルベンゾフェノン（メキセノン（Ｍｅｘｅｎｏｎｅ）（登録商標））、
２−エチルヘキシル４′−フェニルベンゾフェノン−２−カルボキシレート、
２−ヒドロキシ−３−カルボキシベンゾフェノン、
ベンゾフェノン−３−ココイルアセテートエーテル、
２−ヒドロキシ−４−メトキシベンゾフェノン−５−スルホン酸（ウビヌール（登録商標）ＭＳ４０）およびそのナトリウム塩、
２．２′−ジヒドロキシ−４，４′−ジメトキシベンゾフェノン−５，５′−ビススルホン酸およびそのナトリウム塩（ウビヌール（登録商標）ＤＳ４９）。
【００２９】
代表的なＵＶ吸収性フェニルベンゾイミダゾール（ＶＩＩ）は以下のものである：
２−フェニルベンゾイミダゾール−５−スルホン酸（ユーソレックス（登録商標）２３２）およびそのカリウム塩、ナトリウム塩およびトリエタノールアミン塩、
２−［５，６−ジスルホ−（１Ｈ−ベンゾイミダゾール−２−イル）フェニル］−１Ｈ−ベンゾイミダゾール−５，６−ジスルホン酸。
【００３０】
代表的なＵＶ吸収性アクリレート（ＶＩＩ）は以下のものである：
３−イミダゾール−４−イルアクリル酸、
エチル３−イミダゾール−４−イルアクリレート、
２−シアノ−３−（４−メトキシフェニル）アクリル酸、
ヘキシル２−シアノ−３−（４−メトキシフェニル）アクリレート。
【００３１】
有利なアクリレートは２−シアノ−３，３−ジフェニルアクリル酸のＣ６〜Ｃ１８−アルキルエステルまたはＣ５〜Ｃ８−シクロアルキルエステルを含む。シアノ３，３−ジフェニルアクリル酸エステルのＣ６〜Ｃ１８−アルコール基は直鎖状または１つまたは複数の分枝状であってもよく、天然または合成の起源であってもよい。これらのアルコールは、例えば脂肪アルコール、オキソアルコール、チーグラーアルコールまたはゲルベアルコールであってもよい。これらの化合物の代表的な例は、ｎ−ヘキシルエステル、ｎ−ヘプチルエステル、ｎ−オクチルエステル、２−エチルヘキシルエステル、ｎ−ノニルエステル、イソノニルエステル、ｎ−デシルエステル、ｎ−ドデシルエステル、ｎ−トリデシルエステル、イソトリデシルエステル、ｎ−テトラデシルエステル、ｎ−ペンタデシルエステル、ｎ−ヘキサデシルエステル、ｎ−ヘプタデシルエステル、ｎ−オクタデシルエステル、またはエイコシルエステルである。オレイル基、リノリル基またはリノレニル基のような不飽和アルコール基が存在することも可能である。これらのエステルの混合物が存在してもよい。
【００３２】
シアノ−３，３−ジフェニルアクリル酸エステル中のＣ５〜Ｃ８−シクロアルカノール基として、例えばシクロペンチル基、２−または３−メチルシクロペンチル基、シクロヘキシル基、２−、３−、または４−メチルシクロヘキシル基、ジメチルシクロヘキシル基、シクロヘプチル基、またはシクロオクチル基が挙げられる。
【００３３】
２−シアノ−３，３−ジフェニルアクリル酸の直鎖状または１個または複数の分枝状Ｃ８〜Ｃ１３−アルキルエステルが有利である。相当する２−エチルヘキシルエステルはウビヌール（Ｕｖｉｎｕｌ）（登録商標）Ｎ−５３９Ｔ（ＢＡＳＦ社）として商業的に入手できる。
【００３４】
代表的なＵＶ吸収性ジアリールブタジエン（ＩＸ）は、特に、化粧品および医薬品としてドイツ特許第１９８２８４６３号明細書に記載される一般式（１）：
【００３５】
【化１】
2004528486.tif 000002
の４，４−ジアリールブタジエンであり、この場合にジエン系はＺ，Ｚ；Ｚ，Ｅ；Ｅ，ＺまたはＥ，Ｅ配置またはこれらの混合物を有し、式中の置換基および変数は互いに独立に以下のものを表す。
Ｒ１およびＲ２は、水素、Ｃ１〜Ｃ２０−アルキル、Ｃ２〜Ｃ１０−アルケニル、Ｃ３〜Ｃ１０−シクロアルキル、Ｃ３〜Ｃ１０−シクロアルケニル、Ｃ１〜Ｃ１２−アルコキシ、Ｃ１〜Ｃ２０−アルコキシカルボニル、Ｃ１〜Ｃ１２−アルキルアミノ、Ｃ１〜Ｃ１２−ジアルキルアミノ、アリール、ヘタリール（これらは置換されていないかまたは置換されている）、およびカルボキシレート基、スルホネート基またはアンモニウム基からなる群から選択される水溶性にする置換基であり、
Ｒ３は水素、ＣＯＯＲ５、ＣＯＲ５、ＣＯＮＲ５Ｒ６、ＣＮであり、
Ｒ４はＣＯＯＲ６、ＣＯＲ６、ＣＯＮＲ５Ｒ６であり、
Ｒ５は水素、［Ｘ］ｏ−Ｒ７、Ｃ１〜Ｃ６−アルキレン−ＳＯ３Ｙ、Ｃ１〜Ｃ６−アルキレン−ＰＯ３Ｙ、Ｃ１〜Ｃ６−アルキレン−Ｎ（Ｒ８）３＋Ａ−であり、
Ｒ６は［Ｘ］ｏ−Ｒ７、Ｃ１〜Ｃ６−アルキレン−ＳＯ３Ｙ、Ｃ１〜Ｃ６−アルキレン−ＰＯ３Ｙ、Ｃ１〜Ｃ６−アルキレン−Ｎ（Ｒ８）３＋Ａ−であり、
Ｘは−ＣＨ２−ＣＨ２−Ｚ−、−ＣＨ２−ＣＨ２−ＣＨ２−Ｚ−、−ＣＨ（ＣＨ３）−ＣＨ２−Ｚ−、−ＣＨ２−ＣＨ２−ＣＨ２−ＣＨ２−Ｚ−、−ＣＨ２−ＣＨ（ＣＨ２−ＣＨ３）−Ｚ−であり、
ＡはＣｌ、Ｂｒ、Ｉ、ＳＯ４Ｒ９であり、
Ｙは水素、Ｎａ＋、Ｋ＋、Ｍｇ２＋、Ｃａ２＋、Ｌｉ＋、Ａｌ３＋、Ｎ（Ｒ８）４＋であり、
ＺはＯ、ＮＨであり、
Ｒ７およびＲ８は水素、Ｃ１〜Ｃ６−アルキル、Ｃ２〜Ｃ６−アルケニル、Ｃ１〜Ｃ６−アシルであり、
Ｒ９は水素、Ｃ１〜Ｃ６−アルキル、Ｃ２〜Ｃ６−アルケニルであり、
ｎは１〜３であり、
ｏは１〜１５０である。
【００３６】
一般式（１）の４，４−ジアリールブタジエンの構造のより詳しい説明およびこの化合物（１）の実施例に関して、ドイツ特許第１９８２８４６３号明細書に開示されている内容は本発明に含まれる。化合物（ＩＸ）の代表的な１つの例は１，１−ビス（ネオペンチルオキシカルボニル）−４，４−ジフェニル−１，３−ブタジエンである。
【００３７】
代表的なＵＶ吸収性アミノ置換ヒドロキシベンゾフェノン（Ｘ）は、特にドイツ特許第１９９１７９０６.９号に化粧品および医薬品として記載される一般式（２）：
【００３８】
【化２】
2004528486.tif 000003
の化合物であり、式中の置換基は互いに独立に以下のものを表す：
Ｒ１およびＲ２は水素、Ｃ１〜Ｃ２０−アルキル、Ｃ２〜Ｃ１０−アルケニル、Ｃ３〜Ｃ１０−シクロアルキル、Ｃ３〜Ｃ１０−シクロアルケニルであり、置換基Ｒ１およびＲ２はこれらが結合している窒素原子と一緒に５員または６員の環を形成することができ、
Ｒ３およびＲ４はＣ１〜Ｃ２０−アルキル、Ｃ２〜Ｃ１０−アルケニル、Ｃ３〜Ｃ１０−シクロアルキル、Ｃ３〜Ｃ１０−シクロアルケニル、Ｃ１〜Ｃ１２−アルコキシ、Ｃ１〜Ｃ２０−アルコキシカルボニル、Ｃ１〜Ｃ１２−アルキルアミノ、Ｃ１〜Ｃ１２−ジアルキルアミノ、アリール、ヘテロアリール（これらは置換されていないかまたは置換されている）、およびニトリル基、カルボキシレート基、スルホネート基またはアンモニウム基からなる群から選択される水溶性にする置換基であり、
Ｘは水素、ＣＯＯＲ５、ＣＯＮＲ６Ｒ７であり、
Ｒ５〜Ｒ７は水素、Ｃ１〜Ｃ２０−アルキル、Ｃ２〜Ｃ１０−アルケニル、Ｃ３〜Ｃ１０−シクロアルキル、Ｃ３〜Ｃ１０−シクロアルケニル、−（Ｙ−Ｏ）ｏ−Ｚ、アリールであり、
Ｙは−（ＣＨ２）２−、−（ＣＨ２）３−、−（ＣＨ２）４−、−ＣＨ（ＣＨ３）−ＣＨ２−であり、
Ｚは−ＣＨ２−ＣＨ３、−ＣＨ２−ＣＨ２−ＣＨ３、−ＣＨ２−ＣＨ２−ＣＨ２−ＣＨ３、−ＣＨ（ＣＨ３）−ＣＨ３であり、
ｍは０〜３であり、
ｎは０〜４であり、
ｏは１〜２０である。
【００３９】
一般式（２）のアミノ置換ヒドロキシベンゾフェノンの構造のより詳しい説明およびこの化合物（２）の実施例に関して、ドイツ特許第１９９１７９０６.９号明細書に開示されている内容は本発明に含まれる。化合物（Ｘ）の代表的な１つの例はｎ−ヘキシル２−（４′−ジエチルアミノ−２′−ヒドロキシベンゾイル）ベンゾエートである。
【００４０】
代表的なＵＶ吸収性トリアジン（ＸＩ）は、
２，４，６−トリアニリノ−４−（カルボ−２′−エチルヘキシル−１′−オキシ）−１，３，５−トリアジン（ウビヌール（登録商標）Ｔ−１５０）、
２−エチルヘキシル４−｛［４−｛４−［ｔ−ブチルアミノカルボニル］アニリノ｝−６−（４−｛［２−エチルヘキシルオキシ］カルボニル｝アニリノ）−１，３，５−トリアジン−２−イル］アミノ｝ベンゾエート、
２−（４−メトキシフェニル）−４，６−ジ［４−（２−エチルヘキシルオキシ）−２−ヒドロキシフェニル］−１，３，５−トリアジンである。
【００４１】
一般式（Ｉ）〜（ＶＩＩＩ）および（ＸＩ）の化合物（Ｂ）の代表的なものはＷＯ９７／４４４２２号およびＷＯ９６／０３４８６号に記載されている。
有効なＵＶ吸収剤Ｂは、一般式（Ｉ）〜（ＸＩ）の化合物のほかに、例えば以下の化合物を更に含む：
３−（４−メチルベンジリデン）ボルナン−２−オン（ユーソレックス（登録商標）６３００）、
５−（３，３−ジメチル−２−ノルボルニリデン）−３−ペンテン−２−オン、
３−ベンジリデンボルナン−２−オン、
ジガロイルトリオレエート、
２−ヒドロキシ−１，４−ナフタレンジオン、
５−メチル−２−フェニルベンゾオキサゾール
ジベンズアルデヒドアミン、
ジアニソイルメタン、
メチルオイゲノール
２−アミノ−６−ヒドロキシプリン、
Ｎ−（４−エトキシカルボニルフェニル）−Ｎ′−メチル−Ｎ′−フェニルホルムアミジン（Ｇｉｖｏｓｏｒｂ（登録商標）ＵＶ１）、
Ｎ−（４−エトキシカルボニルフェニル）−Ｎ′−エチル−Ｎ′−フェニルホルムアミジン（Ｇｉｖｏｓｏｒｂ（登録商標）ＵＶ２）、
３−（４′−メチルベンジリデン）カンフル（ウビヌール（登録商標）ＭＢＣ９５）、
Ｎ１−（２−エトキシフェニル）−Ｎ２−（２−エチルフェニル）エタンジアミド、
Ｎ１−（２−エトキシフェニル）−Ｎ２−（４−ドデカフェニル）エタンジアミド、
２−エチルヘキシル２−シアノ−（３−オキソ−２，３−ジヒドロ−１Ｈ−イソインドール−１−イリデン）エタノエート、
１，１−ジシアノ−２−（４−ブチルオキシ）フェニル−２−フェニルエテン。
【００４２】
酸化亜鉛および／または二酸化チタンと一緒に使用される特に有利な有機ＵＶ吸収剤Ｂは以下の化合物を含む：
１−（４−ｔ−ブチルフェニル）−３−（４−メトキシフェニル）プロパン−１，３−ジオン（ウビヌール（登録商標）ＢＭＢＭ）、
ポリエトキシエチル−４−ビス（ポリエトキシ）−４−アミノベンゾエート（ウビヌール（登録商標）Ｐ−２５）、
２−エチルヘキシル−４−メトキシシンナメート（ウビヌール（登録商標）ＭＣ８０）、
２−ヒドロキシ−４−メトキシベンゾフェノン（ウビヌール（登録商標）Ｍ４０）、
２，４−ジヒドロキシベンゾフェノン（ウビヌール（登録商標）３０００）、
２，２′、４，４′−テトラヒドロキシベンゾフェノン（ウビヌール（登録商標）Ｄ−５０）、
２，２′−ジヒドロキシ−４，４′−ジメトキシベンゾフェノン（ウビヌール（登録商標）Ｄ−４９）、
２，２−ジヒドロキシ−４，４−ジメトキシベンゾフェノン（ウビヌール（登録商標）３０４９）、
２−ヒドロキシ−４−（２−エチルヘキシルオキシ）ベンゾフェノン、
２−ヒドロキシ−４−（ｎ−オクチルオキシ）ベンゾフェノン（ウビヌール（登録商標）３００８）、
２−ヒドロキシ−４−メトキシベンゾフェノン−５−スルホン酸（ウビヌール（登録商標）ＭＳ４０）およびその塩、
２，２′−ジヒドロキシ−４，４′−ジメトキシベンゾフェノン−５，５′−ビススルホン酸およびその塩（ウビヌール（登録商標）ＤＳ４９）、
２′−エチルヘキシル２−シアノ−３，３−ジフェニルアクリレート（ウビヌール（登録商標）Ｎ５３９Ｔ）、
エチル２−シアノ−３，３−ジフェニルアクリレート（ウビヌール（登録商標）３０３５）、
１，１−ビス（ネオペンチルオキシカルボニル）−４，４−ジフェニル−１，３−ブタジエン、
ｎ−ヘキシル２−（４′−ジエチルアミノ−２′−ヒドロキシベンゾイル）ベンゾエート、
２，４，６−トリアニリノ−４−（カルボ−２′−エチルヘキシル−１′−オキシ）−１，３，５−トリアジン（ウビヌール（登録商標）Ｔ−１５０）、
３−（４′−メチルベンジリデン）カンフル（ウビヌール（登録商標）ＭＢＣ９５）。
【００４３】
場合により成分ＡおよびＢの化合物を酸化防止剤および／またはラジカル捕捉剤と一緒に使用することが有利である。ここで使用することができる酸化防止剤およびラジカル捕捉剤は食品および飼料の安定化におよび可塑剤または潤滑剤の安定化に一般に使用されるすべての化合物を含む。これらの一連の化合物は、例えばＫｉｒｋ−Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ、第４版、３巻、４２４〜４４７頁またはＵｌｌｍａｎｎｓ  Ｅｎｃｙｃｌｏｐｅｄｉａ  ｏｆ  Ｉｎｄｕｓｔｒｉａｌ  Ｃｈｅｍｉｓｔｒｙ、第６版、２０００、Ｅｌｅｃｔｒｏｎｉｃ  Ｒｅｌｅａｓｅ、ｃｈａｐｔｅｒｓ  ａｎｔｉｏｘｉｄａｎｔ  ａｎｄ  ｆｏｏｄ  ａｄｄｉｔｉｖｅｓに記載されている。
【００４４】
しかしこれらは特に以下のものを含む：
置換されたフェノール、ヒドロキノン、ピロカテコールおよびガレート、例えば２，６−ジ−ｔ−ブチルフェノール、２，４，６−トリ−ｔ−ブチルフェノール、２，４−ジメチル−６−ｔ−ブチルフェノール、２，６−ジ−ｔ−ブチル−４−メチルフェノール、２，６−ジ−ｔ−ブチル−４−メトキシフェノール、３−ｔ−ブチル−４−メトキシフェノール、２，２′−メチレンビス（４−メチル−６−ｔ−ブチルフェノール）、プロピルガレート、オクチルガレートおよびドデシルガレートまたはｔ−ブチルヒドロキノン（ＴＢＨＱ）、ブチル化ヒドロキシアニソール（ＢＨＡ）およびブチル化ヒドロキシトルエン（ＢＨＴ）、
イルガノックス（Ｉｒｇａｎｏｘ）（登録商標）酸化防止剤（Ｃｉｂａ−Ｇｅｉｇｙ社）、例えばイルガノックス１０１０（テトラキス（メチレン３，５−ジ−ｔ−ブチル−４−ヒドロキシシンナメート）メタン）、イルガノックス１０３５（チオジエチレンビス（３，５−ジ−ｔ−ブチル−４−ヒドロキシシンナメート））およびイルガノックス１０７６（オクタデシルプロパン（３−ベンゼン−３′、５′−ジ−ｔ−ブチル−４′−ヒドロキシベンジル）ホスホネート）、
トリヒドロキシブチロフェノン（ＴＨＢＰ）、
α−トコフェロールおよびその天然または合成の誘導体、例えばアセチル−α−トコフェロール、
アスコルビン酸およびアスコルビン酸誘導体、特に長鎖脂肪酸とのエステル化生成物、例えばアスコルビルパルミテート、
ジアザビシクロオクタン（ＤＡＢＣＯ）、
クロマン誘導体、例えば２，５，７，８−テトラメチル−６−ヒドロキシクロマン−２−酸の長鎖エステル、
芳香族アミン、例えばエトキシキン、
有機スルフィド、例えば３，３′−チオジプロピオン酸およびジラウリルチオジプロピオネート、
立体障害アミン、例えばテトラメチルピペリジン型のもの、例えばウビヌール４０４９Ｈ，ウビヌール４０５０Ｈおよびウビヌール５０５０Ｈ（ＢＡＳＦ社）、
Ｎ−オキシル型のラジカル、例えば４−ヒドロキシテトラメチルピペリジンＮ−オキシド、カルボン酸を有するそのエステル化生成物および他の誘導体、
ヒドロキシルアミン、例えばジアルキルアミンのヒドロキシルアミンおよびテトラメチルピペリジン化合物のヒドロキシルアミンエーテル誘導体、
アスコルビン酸、乳酸、クエン酸および酒石酸およびこれらの塩。
【００４５】
無機顔料Ａおよび有機ＵＶ吸収剤Ｂは織物繊維親和性を有するＵＶ吸収剤としてきわめて良好に一緒に作用し、相互にその作用を補強する。第１に織物材料に被覆した場合に、人間の皮膚を有害なＵＶ線に対して保護する。第２に染色した織物材料を色あせに対して保護する。２つの保護作用は有利には同時に行われる。
【００４６】
成分ＡおよびＢが親和性を有し、保護作用を展開する織物材料は特に被服製品、すなわち人間の皮膚に身に付けられる製品および強い日光にさられる日よけおよび日光遮蔽物のような染色した織物を有する家庭用および庭用製品を含む。この保護すべき織物材料は、有利にはセルロース（綿）からなり、例えば被服織物は綿または綿−ポリエステル配合物からなる。
【００４７】
本発明は人間の皮膚を有害なＵＶ線に対して保護するためのおよび/または織物材料を色あせに対して保護するための織物材料への有機ＵＶ吸収剤と一緒の酸化亜鉛および/または二酸化チタンの使用に関する。
【００４８】
成分ＡおよびＢを有する混合物を、一般に織物材料に、成分ＡおよびＢを他の成分と一緒に有する水性液の形で、噴霧または浸漬および搾り出しにより被覆する。成分ＡおよびＢを織物材料の製造中の織物仕上げの際に、織物洗濯の際に、洗濯前処理および/または洗濯後処理の際に織物材料に被覆することができる。
【００４９】
織物材料のＵＶ保護係数ＵＰＦはＵＶ仕上げ剤により増加する。
【００５０】
ＵＶ保護係数または織物の紫外線保護係数ＵＰＦはオーストラリア/ニュージーランド規格ＡＳ/ＮＺＳ４３９９：１９９６により、イン・ビトロ法を使用して決定される。これは織物のＵＶ透過率を決定する。以下の式を使用して保護係数を直接決定するためにスペクトル透過率を使用することができる。
【００５１】
【数１】
2004528486.tif 000004
式中、
Ｓλは波長λでのＵＶ範囲の日光のスペクトル放射率であり、
Ｅλは波長λでのＵＶ線のスペクトル紅班有効率であり、
Ｔλは波長λでの織物のスペクトル透過率である。
【００５２】
本発明はほかの通常の成分と一緒に成分ＡおよびＢを０.０１〜２０質量％、有利には０.１〜１０質量％、特に有利には０.１〜５質量％有する洗濯洗剤組成物に関する。成分Ａと成分Ｂの質量比は、有利には２０：１〜１：１０、特に８：１〜１：５および特に有利には３：１〜１：１の範囲内にある。この関係で成分ＡおよびＢを組成物に別々に添加するかまたはすでに製造したＡおよびＢの混合物を組成物に混合することができる。
【００５３】
本発明による洗濯洗剤組成物は固体または液体の組成物であってもよい。
【００５４】
本発明による固体の洗濯洗剤組成物は一般に他の通常の成分として以下の成分：
（ｃ）成分Ｃとして少なくとも１種の非イオン性および/またはアニオン性界面活性剤０.１〜４０質量％、
（ｄ）成分Ｄとして１種以上の無機ビルダー０〜５０質量％、
（ｅ）１種以上の有機コビルダーＥ０〜２０質量％、
（ｆ）成分Ｆとして、カチオン性界面活性剤、標準化剤、酵素、香料、錯化剤、腐食防止剤、漂白剤、漂白活性剤、漂白触媒、染料転写防止剤、土壌再沈積防止剤、土壌排出ポリエステル、着色料、溶解改良剤および/または崩壊剤のような他の通常の成分０〜６０質量％、
を含み、成分Ａ〜Ｆを加えて１００質量％になる。
【００５５】
本発明の固体の洗濯洗剤組成物は粉末、顆粒、押し出し物またはタブレットの形で一般に存在する。
【００５６】
本発明による液体の洗濯洗剤組成物は一般に他の通常の成分として以下の成分：
（ｃ）成分Ｃとして少なくとも１種の非イオン性および/またはアニオン性界面活性剤０.１〜４０質量％、
（ｄ）成分Ｄとして１種以上の無機ビルダー０〜２０質量％、
（ｅ）成分Ｅとして１種以上の有機コビルダー０〜１０質量％、
（ｆ）成分Ｆとして、カチオン性界面活性剤、炭酸ナトリウム、酵素、香料、錯化剤、腐食防止剤、漂白剤、漂白活性剤、漂白触媒、染料転写防止剤、土壌再沈積防止剤、土壌排出ポリエステル、着色料、非水性溶剤、ヒドロトロープ、増粘剤および/またはアルカノールアミンのような他の通常の成分０〜４０質量％、および
（ｇ）成分Ｇとして水０〜９９.８５質量％、
を含み、成分Ａ〜Ｇを加えて１００質量％になる。
【００５７】
有効なアニオン性界面活性剤は、特に
８〜２２個、有利には１０〜１８個の炭素原子を有する脂肪アルコールの脂肪アルコールスルフェート、例えばＣ９〜Ｃ１１−アルコールスルフェート、Ｃ１２〜Ｃ１４−アルコールスルフェート、Ｃ１２〜Ｃ１８−アルコールスルフェート、ラウリルスルフェート、セチルスルフェート、ミリスチルスルフェート、パルミチルスルフェート、ステアリルスルフェートおよび牛脂アルコールスルフェート、
硫酸化アルコキシル化Ｃ８〜Ｃ２２−アルコール（アルキルエーテルスルフェート）であり、この種の化合物は、例えばまずＣ８〜Ｃ２２−アルコール、有利にはＣ１０〜Ｃ１８−アルコール、例えば脂肪アルコールをアルコキシル化し、引き続きアルコキシル化生成物を硫酸化することにより製造する。アルコキシル化は有利にはエチレンオキシドを使用して行う。
アニオン性界面活性剤は、更に
直鎖状Ｃ８〜Ｃ２０−アルキルベンゼンスルホネート（ＬＡＳ）、有利には直鎖状Ｃ９〜Ｃ１３−アルキルベンゼンスルホネートおよびアルキルトルエンスルホネート、
石鹸、例えばＣ８〜Ｃ２４−カルボン酸のナトリウム塩およびカリウム塩
である。
【００５８】
前記アニオン性界面活性剤は有利には塩の形の洗濯洗剤に含まれる。この塩中の適当なカチオンはアルカリ金属イオン、例えばナトリウム塩、カリウム塩、リチウム塩およびアンモニウム塩、例えばヒドロキシエチルアンモニウム、ジ（ヒドロキシエチル）アンモニウムおよびトリ（ヒドロキシエチル）アンモニウムである。
【００５９】
有効な非イオン性界面活性剤は、特に
アルコキシル化Ｃ８〜Ｃ２２−アルコール、例えば脂肪アルコールアルコキシレートまたはオキソアルコールアルコキシレートである。これらはエチレンオキシド、プロピレンオキシドおよび/またはブチレンオキシドでアルコキシル化されている。この場合に有効な界面活性剤は前記アルキレンオキシドの１つの少なくとも２個の分子を有するすべてのアルコキシル化アルコールを含む。この場合にエチレンオキシド、プロピレンオキシドおよび/またはブチレンオキシドのブロックポリマーまたは前記アルキレンオキシドをランダムな分布で有する付加生成物を使用することが可能である。非イオン性界面活性剤は一般にアルコール１分子当たり２〜５０モル、有利には３〜２０モルの少なくとも１種のアルキレンオキシドを有する。アルキレンオキシド成分は有利にはエチレンオキシドである。アルコールは有利には１０〜１８個の炭素原子を有する。アルコキシル化するために使用されるアルコキシル化触媒の性質に依存してアルコキシレートは広いかまたは狭いアルキレンオキシド同族分布を有する。
【００６０】
非イオン性界面活性剤は更に
アルキルフェノールアルコキシレート、例えばＣ６〜Ｃ１４−アルキル鎖および５〜３０個のアルキレンオキシド単位を有するアルキルフェノールエトキシレート、
アルキル鎖中に８〜２２個、有利には１０〜１８個の炭素原子および一般に１〜２０個および有利には１.１〜５個のグルコシド単位を有するアルキルポリグルコシド、
Ｎ−アルキルグルカミド、脂肪酸アミドアルコキシレート、脂肪酸アルカノールアミドアルコキシレートおよびエチレンオキシド、プロピレンオキシドおよび/またはブチレンオキシドのブロックコポリマーである。
【００６１】
有効な無機ビルダーは、特に
イオン交換特性を有する結晶質または非晶質のアルミノ珪酸塩、特にゼオライトであり、有効なゼオライトは特にナトリウムの形のまたはナトリウムが部分的に他のカチオン、例えばリチウム、カリウム、カルシウム、マグネシウムまたはアンモニウムにより交換された形のゼオライトＡ，Ｘ，Ｂ，Ｐ，ＭＡＰおよびＨＳを含み、更に
結晶質珪酸塩、特に二珪酸塩または層状珪酸塩、例えばδ−Ｎａ２Ｓｉ２Ｏ５またはβ−Ｎａ２Ｓｉ２Ｏ５であり、前記ケイ酸塩はアルカリ金属塩、アルカリ土類金属塩またはアンモニウム塩の形で、有利には珪酸ナトリウム、珪酸リチウムおよび珪酸マグネシウムとして使用することができ、更に
非晶質珪酸塩、例えばメタ珪酸ナトリウムまたは非晶質二珪酸塩、
炭酸塩および重炭酸塩であり、これらはアルカリ金属塩、アルカリ土類金属塩またはアンモニウム塩の形で使用することができる。炭酸ナトリウム、炭酸リチウムおよび炭酸マグネシウム、重炭酸ナトリウム、重炭酸リチウムおよび重炭酸マグネシウム、特に炭酸ナトリウムおよび/または重炭酸ナトリウムであり、更に
ポリ燐酸塩、例えば三燐酸五ナトリウムである。
【００６２】
有効な有機コビルダーは特に低分子量のカルボン酸、オリゴマーまたはポリマーのカルボン酸を含む。
【００６３】
有効な低分子量カルボン酸は、例えばクエン酸、疎水性に変性されたクエン酸、例えばアガリシン酸、マレイン酸、酒石酸、グルコン酸、グルタル酸、琥珀酸、イミドジ琥珀酸、オキシジ琥珀酸、プロパントリカルボン酸、ブタンテトラカルボン酸、シクロペンタンテトラカルボン酸、アルキル琥珀酸およびアルケニル琥珀酸、アミドポリカルボン酸、例えばニトリロトリ酢酸、β−アラニンジ酢酸、エチレンジアミンテトラ酢酸、セリンジ酢酸、イソセリンジ酢酸、Ｎ−（２−ヒドロキシエチル）イミノジ酢酸、エチレンジアミンジ琥珀酸、およびメチルグリシンジ酢酸およびエチルグリシンジ酢酸を含む。
【００６４】
有効なオリゴマーまたはポリマーのカルボン酸は、例えばアクリル酸のホモポリマー、オリゴマレイン酸、マレイン酸とアクリル酸、メタクリル酸のコポリマー、Ｃ２〜Ｃ２２−オレフィン、例えばイソブテン、または長鎖α−オレフィン、Ｃ１〜Ｃ８−アルキル基を有するビニルアルキルエーテル、酢酸ビニル、プロピオン酸ビニル、Ｃ１〜Ｃ８−アルコールのメタクリル酸エステルおよびスチレンを含む。アクリル酸のホモポリマーおよびアクリル酸とマレイン酸のコポリマーを使用することが有利である。ポリアスパラギン酸も有機コビルダーとして有効である。オリゴマーおよびポリマーのカルボン酸は酸の形でまたはナトリウム塩として使用する。
【００６５】
有効な漂白剤は、例えば過酸化水素と無機塩のアダクト、例えば過ホウ酸ナトリウム一水和物、過ホウ酸ナトリウム四水和物または炭酸ナトリウム過水和物またはペルカルボン酸、例えばフタルイミドペルカプロン酸を含む。
【００６６】
適当な漂白活性剤は、例えばＮ，Ｎ，Ｎ´，Ｎ´−テトラアセチルエチレンジアミン（ＴＡＥＤ）、ｐ−ノナノイルオキシベンゼンスルホネートまたはＮ−メチルモルホリニウムアセトニトリルメチルスルフェートである。
【００６７】
洗濯洗剤に有利に使用される酵素はプロテアーゼ、リパーゼ、アミラーゼ、セルラーゼ、オキシダーゼ、またはペルオキシダーゼである。
【００６８】
適当な染料転写防止剤は、例えば１−ビニルピロリドン、１−ビニルイミダゾールまたは４−ビニルピリジン−Ｎ−オキシドのホモポリマーおよびコポリマーである。クロロ酢酸と反応した４−ビニルピリジンのホモポリマーおよびコポリマーも染料転写防止剤として適している。
【００６９】
本発明は更にほかの通常の成分と一緒に成分ＡおよびＢを０.０１〜２０質量％、有利には０.１〜１０質量％、特に０.１〜５質量％有する洗濯後処理および洗濯コンディショニング組成物に関する。成分Ａと成分Ｂの質量比は有利には２０：１〜１：１０、より有利には８：１〜１：５、特に３：１〜１：１の範囲内にある。この関係で成分ＡおよびＢを別々に組成物に添加するかまたはあらかじめ製造したＡおよびＢの混合物を組成物に混合することができる。
【００７０】
本発明の洗濯後処理および洗濯コンディショニング組成物は他の通常の成分として一般に以下の成分を含む。
ｃ）成分Ｃとして少なくとも１種のカチオン性界面活性剤０.１〜４０質量％、
ｄ）成分Ｄとして１種以上の非イオン性界面活性剤０〜３０質量％、
ｅ）成分Ｅとして他の通常の成分、例えば香料、着色料、安定剤、繊維および色保護用添加剤、粘度改質剤、土壌排出用添加剤、土壌再沈積防止剤、染料転写防止剤、錯化剤、腐食調節用添加剤、殺菌剤、保存料、非水性溶剤、ヒドロトロープおよび/またはアルカノールアミン０〜３０質量％、
ｆ）成分Ｆとして結合剤、カチオン性ポリマー０〜２５質量％、および
ｇ）成分Ｇとして水１００質量％まで。
【００７１】
有効なカチオン性ポリマー（成分Ｆ）はアミノ基および/またはアンモニウム基を有し、水に溶解するかまたは分散する、すべての天然または合成カチオン性ポリマーを含む。これらのカチオン性ポリマーの例は、ポリエチレンイミン、アミド化、アルコキシル化および/またはアルキル化ポリエチレンイミン、架橋ポリエチレンイミン、ポリアミドアミン、アルコキシル化および/またはアルキル化ポリアミドアミン、架橋ポリアミドアミン、エチレンイミングラフト架橋ポリアミドアミン、アミン/エピクロロヒドリン重縮合物、ポリビニルアミン、アルコキシル化ポリビニルアミン、部分的に加水分解されたポリビニルホルムアミド、ポリアリルアミン、ポリジメチルジアリル塩化アンモニウム、１−ビニルイミダゾール単位を有するポリマー、例えばポリ−１−ビニルイミダゾールまたはポリ−（１−ビニルイミダゾール−コ−１−ビニルピロリドン）、第四級ビニルイミダゾールを有するポリマー、イミダゾールおよびエピクロロヒドリンの縮合物、塩基性メタクリルアミドまたはメタクリル酸エステル単位を有するポリマー、塩基性第四級メタクリルアミドまたはメタクリル酸エステル単位を有するポリマーおよび/またはリシン縮合物である。
【００７２】
カチオン性ポリマーの語は純粋な正電荷を有する両性付加ポリマーを含み、すなわちポリマーは共重合した形でアニオンモノマーとカチオンモノマーの両方を有するが、ポリマー中に存在するカチオン単位のモル比はアニオン単位のモル比より大きい。
【００７３】
有利なカチオン性界面活性剤（成分Ｃ）は第四級ジエステルアンモニウム塩、第四級テトラアルキルアンモニウム塩、第四級ジアミドアンモニウム塩、アミドアミンエステルおよびイミダゾリニウム塩からなる群から選択される。これらは有利には織物コンディショナー中に３〜３０質量％の量で存在する。例としては、２つのＣ１１〜Ｃ２２−アルキル（アルケニル）カルボニルオキシ（モノメチレン〜ペンタメチレン）基および第四級窒素原子上に２つのＣ１〜Ｃ３−アルキル基またはヒドロキシアルキル基および対イオンとして塩化物、臭化物、メソスルフェートまたはスルフェートを有する第四級ジエステルアンモニウム塩である。
【００７４】
第四級ジエステルアンモニウム塩は更に、特にトリメチレン基の中心の炭素原子上にＣ１１〜Ｃ２２−アルキル（アルケニル）カルボニルオキシ基を有するＣ１１〜Ｃ２２−アルキル（アルケニル）カルボニルオキシメチレン基および第四級窒素原子上に３つのＣ１〜Ｃ３−アルキル基またはヒドロキシアルキル基および対イオンとして、例えば塩化物、臭化物、メソスルフェートまたはスルフェートを有する化合物である。
【００７５】
第四級テトラアルキルアンモニウム塩は第四級窒素原子上に２つのＣ１〜Ｃ６−アルキル基および２つのＣ８〜Ｃ２４−アルキル（アルケニル）基および対イオンとして、例えば塩化物、臭化物、メソスルフェートまたはスルフェートを有する化合物である。
【００７６】
第四級ジアミドアンモニウム塩は、特に２つのＣ８〜Ｃ２４−アルキル（アルケニル）カルボニルアミノエチレン基、水素、メチル、エチルおよび５個までのオキシエチレン単位を有するポリオキシエチレンから選択される置換基、および第四の基として第四級窒素原子上にメチル基および対イオンとして塩化物、臭化物、メソスルフェートまたはスルフェートを有する化合物である。
【００７７】
アミドアミノエステルは特に窒素原子上に置換基としてＣ１１〜Ｃ２２−アルキル（アルケニル）カルボニルアミノ（モノメチレン〜トリメチレン）基、Ｃ１１〜Ｃ２２−アルキル（アルケニル）カルボニルオキシ（モノメチレン〜トリメチレン）基および窒素原子上の置換基としてメチル基を有する第四級アミンである。
【００７８】
イミダゾリニウム塩はヘテロ環の２位にＣ１４〜Ｃ１８−アルキル（アルケニル）基、中性窒素原子上にＣ１４〜Ｃ１８−アルキル(アルケニル)カルボニル（オキシまたはアミノ）エチレン基および正の電荷を有する窒素原子上に水素、メチルまたはエチルを有する化合物であり、この場合に対イオンは、例えば塩化物、臭化物、メソスルフェートまたはスルフェートである。
【００７９】
本発明は洗濯洗剤、洗濯後処理および洗濯コンディショニング組成物中の有機ＵＶ吸収剤と一緒の酸化亜鉛および/または二酸化チタンの使用に関する。
【００８０】
本発明は更に成分ＡおよびＢを有する織物材料をＵＶ保護するための仕上げ組成物に関する。
【００８１】
本発明による仕上げ組成物は、例えば狭い意味で織物の製造の進行中に仕上げ剤としてまたは水性洗浄液の形でまたは液体の織物処理組成物として存在する。従って例えば織物を織物の製造に関係して仕上げ組成物で処理することが可能である。仕上げ剤で処理されないかまたは不十分に処理された織物は、例えば家庭で洗浄の前または後で無機顔料Ａおよび有機ＵＶ吸収剤Ｂを有する織物処理組成物で処理することができる。しかし織物を洗濯機のコンディショニングリンス循環中に、主要洗浄循環中にまたは主要洗浄循環の後で部分的に前記組成物を使用して成分（Ａ）および（Ｂ）で処理することも可能である。
【００８２】
本発明を以下の実施例により説明する。
【００８３】
例１コンディショニングリンス浴中の洗濯後処理としてのＵＶ保護剤の適用およびＵＶ保護係数ＵＰＦの決定
基本質量１００ｇ/ｍ２およびＵＶ保護係数（ＵＰＦ）４.１を有する白い綿織物を水の硬度３ミリモル/ｌで洗濯した。洗濯工程は４０℃で市販の洗濯洗剤（Ａｒｉｅｌ（登録商標）Ｃｏｌｏｒ）を使用する主要洗浄循環および引き続くコンディショニングリンスであった。使用したコンディショナーは市販の組成物（Ｄｏｗｎｙ  Ｌｅｎｏｒ社）であり、液体に対して１０００ｐｐｍの用量であった。織物コンディショナー組成物はＵＶ吸収剤を含まないか、またはそれぞれ液体に対して１００ｐｐｍまたは２００ｐｐｍの本発明のＵＶ吸収剤組み合わせを含み、コンディショニングリンスの前に添加した。液体比は１２.５：１であった。コンディショニングリンス循環の後で織物を取り出し、ＵＶ保護係数を乾燥した状態で決定した。引き続き織物の光安定性を試験した。織物試料を、ＳＵＮＴＥＳＴ（登録商標）ＣＰＳテーブルトップ促進照明装置（Ｈｅｒａｅｕｓ社、Ｈａｎａｕ）に４時間および２４時間、屋外条件下で、ＷＧ２９５フィルターを使用して装置の最大照射出力で露光した。ＵＶ保護係数は４時間および２４時間露光した後で再び決定した。
【００８４】
使用した無機顔料は以下のとおりである。
Ｚ−ＣＯＴＥ（登録商標）両親媒性酸化亜鉛、ＢＡＳＦ社、
ウビヌール（登録商標）ＴｉＯ２、ＢＡＳＦ社。
【００８５】
有機ＵＶ吸収剤は以下のものを使用した。
Ａ＝２−エチルヘキシル２−シアノ−３，３−ジフェニルアクリレート（ウビヌールＮ−５３９Ｔ）
Ｂ＝２−ヒドロキシ−４−（ｎ−オクチルオキシ）ベンゾフェノン（ウビヌール３００８）。
【００８６】
結果を表１に記載する。
【００８７】
【表１】
2004528486.tif 000005
【００８８】
Δ＝ＵＰＦ（添加剤使用）−ＵＰＦ（添加剤なし）
結果はＵＶ吸収剤ＡおよびＢと酸化亜鉛および二酸化チタンのそれぞれの組み合わせた使用の共同作用を明らかに示す。顔料酸化物が有機ＵＶ吸収剤ＡおよびＢの光安定性にプラスの作用を有することが同様に明らかである。酸化亜鉛および二酸化チタンは単独で使用した場合に綿織物のＵＶ保護係数をわずかしか増加しない。
【００８９】
例２コンディショニングリンス浴中の洗濯後処理としての適用および使用した染色した綿織物の光安定性の決定
Ｒａｅｃｔｉｖｅ  Ｂｌａｃｋ５で１/３の基準深さまで染色した、綿織物をコンディショニングリンス循環中に、本発明のＵＶ吸収剤組み合わせ（それぞれ液体に対して２００ｐｐｍ）の存在で、液体比１２.５：１で、市販の組成物（Ｄｏｗｎｙ  Ｌｅｎｏｒ社、液体に対して１０００ｐｐｍ）を使用して処理した。コンディショニングリンス循環の後に染色した織物を取り出し、乾燥した状態で光安定性を試験した。
【００９０】
光安定性は以下のように測定した。
【００９１】
試料をＳＵＮＴＥＳＴ（登録商標）テーブルトップ照明装置（Ｈｅｒａｅｕｓ社、Ｈａｎａｕ）中に屋外条件下でＷＧ２９５フィルターを使用して、装置の最大照射出力で８時間または２４時間露光した。積分範囲を有する分光光度計λ９００、Ｐｅｒｋｉｎ  Ｅｌｍｅｒ社を使用して露光の前と後の染料の反射スペクトルを測定した。これらの反射スペクトルをＫｕｂｅｌｋａ  Ｍｕｎｋの理論によりＫ/Ｓスペクトル（Ｋ＝吸収係数、Ｓ＝散乱係数）に変換した。露光の前のＫ/Ｓ値に対する８時間または２４時間露光後のＫ/Ｓ値を参照して光安定性を評価した。表２に示された％の値が高いほど、光安定性が高い。
【００９２】
使用した無機顔料はＺ−ＣＯＴＥ、ＢＡＳＦ社であった。
【００９３】
使用した有機ＵＶ吸収剤は以下のとおりであった。
【００９４】
Ｃ＝ｎ−ヘキシル２−（４´−ジエチルアミノ−２´−ヒドロキシベンゾイル）ベンゾエート、
Ｄ＝１−（４−ｔ−ブチルフェニル）−３−（４−メトキシフェニル）プロパン−１，３−ジオン（ウビヌールＢＭＢＭ）。
【００９５】
【表２】
2004528486.tif 000006
【００９６】
結果はＣまたはＤと酸化亜鉛の組み合わせた使用の共同作用を明らかに示す。
【国際公開パンフレット】
2004528486.tif 000007
2004528486.tif 000008
2004528486.tif 000009
2004528486.tif 000010
2004528486.tif 000011
2004528486.tif 000012
2004528486.tif 000013
2004528486.tif 000014
2004528486.tif 000015
2004528486.tif 000016
2004528486.tif 000017
2004528486.tif 000018
2004528486.tif 000019
2004528486.tif 000020
2004528486.tif 000021
2004528486.tif 000022
2004528486.tif 000023
2004528486.tif 000024
2004528486.tif 000025
2004528486.tif 000026
2004528486.tif 000027
2004528486.tif 000028
2004528486.tif 000029
2004528486.tif 000030
2004528486.tif 000031
2004528486.tif 000032
2004528486.tif 000033
2004528486.tif 000034
2004528486.tif 000035
【国際公開パンフレット（コレクトバージョン）】
2004528486.tif 000036
【国際調査報告】
2004528486.tif 000037
2004528486.tif 000038
2004528486.tif 000039
2004528486.tif 000040
2004528486.tif 000041
2004528486.tif 000042